(57)【要約】【課題】支払媒体の所持の有無を問わず、ワンタイムで手軽に利用することのできる無線ＬＡＮシステム、認証サーバ、認証方法及びプログラムを提供する。【解決手段】無線ＬＡＮシステムは、無線端末３と認証サーバ９とを有し、認証サーバ９には、インターネットＮへの接続時間が紐付けられた認証コードが格納され、無線端末３は認証データと認証コードとＭＡＣアドレスとを認証サーバ９に送信し、認証サーバ９は、認証コードとＭＡＣアドレスとを組にして格納し、無線端末３はＭＡＣアドレスを認証サーバ９に送信して認証を要求し、認証サーバ９は、ＭＡＣアドレスを用いて認証を行い、認証コードに紐付けられた接続時間以下であれば無線端末３をインターネットＮに接続させる。【選択図】図１２
2020057925.tif 000002
【特許請求の範囲】
【請求項１】
無線端末と認証サーバとを有し、
前記認証サーバには、外部ネットワークへの接続時間が紐付けられた認証コードが格納され、
前記無線端末は認証データと前記認証コードと無線端末固有の情報とを前記認証サーバに送信し、
前記認証サーバは、前記認証コードと前記無線端末固有の情報とを組にして格納し、
前記無線端末は前記無線端末固有の情報を前記認証サーバに送信して認証を要求し、
前記認証サーバは、前記無線端末固有の情報を用いて認証を行い、前記認証コードに紐付けられた前記接続時間以下であれば前記無線端末を前記外部ネットワークに接続させることを特徴とする無線ＬＡＮシステム。
【請求項２】
請求項１に記載の無線ＬＡＮシステムにおいて、
前記無線ＬＡＮシステムはコード発行装置を有し、
前記コード発行装置は、ユーザからの要求に基づいて前記認証コード及び前記認証データを発行するとともに、発行された前記認証コードを前記認証サーバに送信することを特徴とする無線ＬＡＮシステム。
【請求項３】
認証データと認証コードと無線端末固有の情報とを送信する無線端末を備えた無線ＬＡＮシステムを構成する認証サーバであって、
外部ネットワークへの接続時間に紐付けて前記認証コードを前記無線端末固有の情報と組にして記憶する記憶部と、 
前記認証コードと前記無線端末固有の情報とを受信する受信部と、
前記受信部が受信した前記無線端末固有の情報を用いて認証を行う認証部と、
前記受信部が受信した前記認証コードに紐付けられた前記接続時間以下であれば前記無線端末を前記外部ネットワークに接続させる通信制御部とを備えることを特徴とする認証サーバ。
【請求項４】
認証データと認証コードと無線端末固有の情報とを送信する無線端末を備えた無線ＬＡＮシステムを構成し、記憶部と、受信部と、認証部と、通信制御部とを備える認証サーバを用いて行われる認証方法であって、
前記記憶部が、外部ネットワークへの接続時間に紐付けて前記認証コードを前記無線端末固有の情報と組にして記憶するステップと、
前記受信部が、前記認証コードと前記無線端末固有の情報とを受信するステップと、
前記認証部が、前記受信部が受信した前記無線端末固有の情報を用いて認証を行うステップと、
前記通信制御部が、前記受信部が受信した前記認証コードに紐付けられた前記接続時間以下であれば前記無線端末を前記外部ネットワークに接続させるステップとを備える認証方法。
【請求項５】
コンピュータを、
認証データと認証コードと無線端末固有の情報とを送信する無線端末を備えた無線ＬＡＮシステムを構成する認証サーバとして機能させるプログラムであって、
外部ネットワークへの接続時間に紐付けて前記認証コードを前記無線端末固有の情報と組にして記憶する記憶部と、 
前記認証コードと前記無線端末固有の情報とを受信する受信部と、
前記受信部が受信した前記無線端末固有の情報を用いて認証を行う認証部と、
前記受信部が受信した前記認証コードに紐付けられた前記接続時間以下であれば前記無線端末を前記外部ネットワークに接続させる通信制御部として機能させるためのプログラム。
【発明の詳細な説明】
【技術分野】
【０００１】
本発明は、無線ＬＡＮシステム、認証サーバ、認証方法及びプログラムに関する。
【背景技術】
【０００２】
従来、非接触型のＩＣカードなどの支払媒体を利用した時間課金を行うことにより、利用場所が閉領域に限定されない無線ＬＡＮインターネット接続サービスが提供されている（例えば、特許文献１参照）。
【先行技術文献】
【特許文献】
【０００３】
【特許文献１】特開２００３−３０４２５７号公報
【発明の概要】
【発明が解決しようとする課題】
【０００４】
しかしながら、上述した従来のサービスにおいては、ユーザが支払媒体を所持していない場合、インターネットを利用できない。特に、病院等所持品に制限のある場所において、インターネットに接続するために支払媒体を所持するのは手間である。一方、ユーザが支払媒体を所持している場合には、インターネットを利用できるが、支払媒体をインターネットの接続作業毎にリーダライタに挿入したりする操作を伴うのでユーザにとって面倒である。
【０００５】
本発明は、上記課題に鑑みてなされたもので、支払媒体の所持の有無を問わず、ワンタイムで手軽に利用することのできる無線ＬＡＮシステム、認証サーバ、認証方法及びプログラムを提供することを目的とする。
【課題を解決するための手段】
【０００６】
本発明に係る無線ＬＡＮシステムは、無線端末と認証サーバとを有し、前記認証サーバには、外部ネットワークへの接続時間が紐付けられた認証コードが格納され、前記無線端末は認証データと認証コードと前記無線端末固有の情報とを前記認証サーバに送信し、前記認証サーバは、前記認証コードと前記無線端末固有の情報とを組にして格納し、前記無線端末は前記無線端末固有の情報を前記認証サーバに送信して認証を要求し、前記認証サーバは、前記無線端末固有の情報を用いて認証を行い、前記認証コードに紐付けられた前記接続時間以下であれば前記無線端末を前記外部ネットワークに接続させることを特徴とする。
【０００７】
本発明に係る認証サーバは、認証データと認証コードと無線端末固有の情報とを送信する無線端末を備えた無線ＬＡＮシステムを構成する認証サーバであって、外部ネットワークへの接続時間に紐付けて前記認証コードを前記無線端末固有の情報と組にして記憶する記憶部と、前記認証コードと前記無線端末固有の情報とを受信する受信部と、前記受信部が受信した前記無線端末固有の情報を用いて認証を行う認証部と、前記受信部が受信した前記認証コードに紐付けられた前記接続時間以下であれば前記無線端末を前記外部ネットワークに接続させる通信制御部とを備えることを特徴とする。
【０００８】
本発明に係る認証方法は、認証データと認証コードと無線端末固有の情報とを送信する無線端末を備えた無線ＬＡＮシステムを構成し、記憶部と、受信部と、認証部と、通信制御部とを備える認証サーバを用いて行われる認証方法であって、前記記憶部が、外部ネットワークへの接続時間に紐付けて前記認証コードを前記無線端末固有の情報と組にして記憶するステップと、前記受信部が、前記認証コードと前記無線端末固有の情報とを受信するステップと、前記認証部が、前記受信部が受信した前記無線端末固有の情報を用いて認証を行うステップと、前記通信制御部が、前記受信部が受信した前記認証コードに紐付けられた前記接続時間以下であれば前記無線端末を前記外部ネットワークに接続させるステップとを備える。
【０００９】
本発明に係るプログラムは、コンピュータを、認証データと認証コードと無線端末固有の情報とを送信する無線端末を備えた無線ＬＡＮシステムを構成する認証サーバとして機能させるプログラムであって、外部ネットワークへの接続時間に紐付けて前記認証コードを前記無線端末固有の情報と組にして記憶する記憶部と、前記認証コードと前記無線端末固有の情報とを受信する受信部と、前記受信部が受信した前記無線端末固有の情報を用いて認証を行う認証部と、前記受信部が受信した前記認証コードに紐付けられた前記接続時間以下であれば前記無線端末を前記外部ネットワークに接続させる通信制御部として機能させる。
【発明の効果】
【００１０】
この発明によれば、支払媒体の所持の有無を問わず、ワンタイムで手軽に外部ネットワークを利用することができる。
【図面の簡単な説明】
【００１１】
【図１】無線ＬＡＮシステムのハードウェア構成の説明図である。
【図２】コード発行装置の詳細な構成を示す正面図である。
【図３】コード発行装置の内部構成を示すブロック図である。
【図４】カードリーダ／ライタと、プリンタと、コード発行装置と、認証サーバとの間におけるデータの授受を示す図である。
【図５】プリント用紙の一例を示す説明図である。
【図６】無線端末の内部構成を示すブロック図である。
【図７】Ｗｅｂサーバ及び認証サーバの各内部構成を示すブロック図である。
【図８】コード入力画面の一例を示す図である。
【図９】認証データ及びアカウントデータの各データ構造の詳細を示す図である。
【図１０】コード印刷動作を示すフローチャートである。
【図１１】アカウントデータ更新動作を示すフローチャートである。
【図１２】Ｗｅｂサーバと、認証サーバと、無線端末との間におけるデータの授受を示す図である。
【図１３】無線ＬＡＮシステムの認証処理に係る動作を示すシーケンス図である。
【図１４】無線ＬＡＮシステムの認証処理に係る動作を示すシーケンス図である。
【発明を実施するための形態】
【００１２】
以下、本発明に係る無線ＬＡＮシステム、認証サーバ、認証方法及びプログラムの具体的な実施形態について、図１〜図１４を参照して説明する。
【実施例１】
【００１３】
（無線ＬＡＮシステム１のハードウェア構成の説明）
まず、図１を用いて、無線ＬＡＮシステム１のハードウェア構成を説明する。無線ＬＡＮシステム１は、Ｗｅｂページを発行するＷｅｂサーバ２と、病院内の患者等が所有する無線端末３と、病院内に設置されたコード発行装置４及びテレビカード発行機５とを有する。
【００１４】
無線端末３は、Ｗｅｂサイトにアクセスし、そのＷｅｂサイトを閲覧する患者等のユーザが所持する情報端末であって、例えば、パーソナルコンピュータ等の汎用コンピュータや、モバイルコンピュータやＰＤＡ、タブレット端末、スマートフォン等の携帯電話機等も含まれる。
【００１５】
無線端末３は、例えば病院の病室又はベッド８において療養するユーザが所持している。無線端末３は、例えば、ＷＩＦＩ（登録商標）アクセスポイント６を介して無線ＬＡＮルータ７に接続されている。この無線ＬＡＮルータ７は、Ｗｅｂサーバ２及びコード発行装置４に接続されている。
【００１６】
コード発行装置４は、プリント用紙Ｐを発行する。テレビカード発行機５は、テレビカードＴＣを発行する。テレビカードＴＣは、病院内でテレビの視聴が利用可能な度数が蓄積されたものであり、接触型又は非接触型のどちらでもよいが、本実施例では、接触型のテレビカードＴＣを利用する。
【００１７】
（コード発行装置４の構成）
続いて、図２を用いて、コード発行装置４の詳細な構成を説明する。図２は、コード発行装置の詳細な構成を示す正面図である。
【００１８】
コード発行装置４の正面側には、テレビカードＴＣを挿入可能なカード挿入口４Ａと、テレビカードＴＣを取り出し可能なカード取出ボタン４Ｂと、テレビカードＴＣの残度数を表示可能な残度数表示部４Ｃと、プリント用紙Ｐを排出可能な排出口４Ｄと、ディスプレイ４Ｅとが設けられている。
【００１９】
利用可能度数の残高があるテレビカードＴＣがカード挿入口４Ａに挿入された場合には、残度数表示部４Ｃに残度数が表示される。一方、残高のないテレビカードＴＣがカード挿入口４Ａに挿入された場合には、例えば利用不能であることを表示する「−−−−」の記号が残度数表示部４Ｃに表示される。
【００２０】
ディスプレイ４Ｅは、インターネットＮ（外部ネットワーク）の利用料金及び利用日数の組み合わせを表示可能となっている。本実施例では、インターネットＮの利用料金として３種類の金額がディスプレイ４Ｅに表示される。具体的には、１日分の利用料金に相当する金額である２００円、３日分の利用料金に相当する金額である５００円、７日分の利用料金に相当する金額である１０００円が表示される。
【００２１】
（コード発行装置の回路構成）
次に、本実施例のコード発行装置４の内部構成を、図３を用いて説明する。図３は、コード発行装置の内部構成を示すブロック図である。
【００２２】
コード発行装置４は、ディスプレイ４Ｅ、リーダ／ライタ４Ｆ、プリンタ４Ｇ、タッチパネル４Ｈ、通信部４Ｉ、記憶部４Ｊ及び制御部４Ｋを備える。
【００２３】
リーダ／ライタ４Ｆは、カード挿入口４Ａに挿入されたテレビカードＴＣに記憶されている利用可能度数のデータを読み取ったり、このデータを書き換えたりする。
【００２４】
プリンタ４Ｇは、制御部４Ｋの指示に応じて、プリント用紙Ｐの所定の箇所に、認証コード及び認証データを印刷する。
【００２５】
タッチパネル４Ｈは、例えば、ディスプレイ４Ｅ（図２）の全体に貼り付けられている。ユーザの指がディスプレイ４Ｅに接触した場合、その接触はタッチパネル４Ｈで検出される。
【００２６】
通信部４Ｉは、通信ネットワークＣＮを介して、コード発行装置４をＷｅｂサーバ２等の外部装置に接続する。通信部４Ｉは、制御部４Ｋの指示に応じて、認証コード及び認証データを認証サーバ９に送信する。
【００２７】
記憶部４Ｊは、例えば、電気的にデータの書き換えが可能なＥＥＰＲＯＭやフラッシュメモリ等で構成され、コード発行装置４専用のプログラムを格納している。
【００２８】
制御部４Ｋは、記憶部４Ｊに格納されたプログラムを実行することによって、コード発行装置４の動作を制御する。制御部４Ｋは、度数確認部４Ｌ、度数引落部４Ｍ、コード発行要求部４Ｎ、リーダ／ライタ制御部４Ｏ及びプリンタ制御部４Ｐを備える。
【００２９】
度数確認部４Ｌは、リーダ／ライタ４ＦからテレビカードＴＣのデータを読み取り、利用可能度数を確認する。
【００３０】
度数引落部４Ｍは、ユーザの指がタッチパネル４Ｈに接触した場合、その指が接触した部分に対応する度数をテレビカードＴＣの残度数から引き落とす。
【００３１】
コード発行要求部４Ｎは、認証コードの発行を認証サーバ９に対して要求し、その発行された認証コード及び認証データを取得する。
【００３２】
リーダ／ライタ制御部４Ｏは、リーダ／ライタ４Ｆを制御して、テレビカードＴＣに記憶されているデータを読み取ったり書き換えたりする。
【００３３】
プリンタ制御部４Ｐは、プリンタ４Ｇの動作を制御して、プリント用紙Ｐの所定の箇所に認証コード及び認証データを印刷させる。
【００３４】
（プリント用紙の構成）
図５は、プリント用紙Ｐの一例を示す説明図である。本実施例では、認証データは、ＷＩＦＩアクセスポイント６の識別子であるＳＳＩＤ「ｓａｍｐｌｅＷＩＦＩ」と、パスワード「ｓａｍｐｌｅ１２３４５」の組からなる。認証コードは、インターネットＮの利用コード「９９９９９９」からなる。
【００３５】
（無線端末の回路構成）
次に、本実施例の無線端末３の内部構成を、図６を用いて説明する。図６は、無線端末の内部構成を示すブロック図である。
【００３６】
無線端末３は、ディスプレイ３Ａ、タッチパネル３Ｂ、通信部３Ｃ、記憶部３Ｄ及び制御部３Ｅを備える。
【００３７】
ディスプレイ３Ａは、無線端末３における各種処理によって得られる画像情報や、通信ネットワークＣＮを介して提供された画像情報を表示可能となっている。
【００３８】
タッチパネル３Ｂは、例えば、ディスプレイ３Ａの全体に貼り付けられている。ユーザの指がディスプレイ３Ａに接触した場合、その接触はタッチパネル３Ｂで検出される。
【００３９】
通信部３Ｃは、通信ネットワークＣＮを介して、無線端末３をＷｅｂサーバ２や認証サーバ９等の外部装置に接続する。通信部３Ｃは、認証データと、認証コードと、無線端末固有の情報であるＭＡＣアドレスとを認証サーバ９に送信する。通信部３Ｃは、ＭＡＣアドレスを認証サーバ９に送信して認証を要求する。
【００４０】
記憶部３Ｄには、ＭＡＣアドレスが格納されている。記憶部３Ｄは、例えば、電気的にデータの書き換えが可能なＥＥＰＲＯＭやフラッシュメモリ等で構成され、無線端末３専用のブラウザソフト３Ｈを格納している。ブラウザソフト３Ｈとは、通信ネットワークＣＮ又はインターネットＮを通じてＷｅｂサーバ２等の記憶領域に格納されたデータを取り込んでディスプレイ３Ａ上に表示可能とするソフトのことをいう。
【００４１】
制御部３Ｅは、通信制御部３Ｆ及び表示制御部３Ｇを備える。通信制御部３Ｆは、通信部３Ｃを制御し、通信部３Ｃによる通信ネットワークＣＮへの接続・切断を制御する。表示制御部３Ｇは、ディスプレイ３Ａの表示を制御する。
【００４２】
（Ｗｅｂサーバの回路構成）
次に、本実施例のＷｅｂサーバ２の内部構成を、図７を用いて説明する。図７は、Ｗｅｂサーバ及び認証サーバの各内部構成を示すブロック図である。図８は、コード入力画面の一例を示す図である。
【００４３】
Ｗｅｂサーバ２は、記憶部２Ａ、通信部２Ｂ及び制御部２Ｃを備える。
【００４４】
記憶部２Ａは、例えば、電気的にデータの書き換えが可能なＥＥＰＲＯＭやフラッシュメモリ等で構成され、例えば図８に示すような、ユーザが認証コードを入力するためのコード入力画面データ２Ｄを格納している。
【００４５】
通信部２Ｂは、Ｗｅｂサーバ２を認証サーバ９に接続したり無線端末３に接続したりする。
【００４６】
制御部２Ｃは、記憶部２Ａに格納されたプログラムを実行することによって、Ｗｅｂサーバ２の動作を制御する。制御部２Ｃは、コード送信部２Ｅ及び表示制御部２Ｆを備える。
【００４７】
コード送信部２Ｅは、コード入力画面を介して入力された認証コードを認証サーバ９に送信する。表示制御部２Ｆは、コード入力画面の表示要求を受けて、記憶部２Ａに格納されたコード入力画面データ２Ｄに基づいて、無線端末３のディスプレイ３Ａ（図６）にコード入力画面（図８）を表示する。
【００４８】
（認証サーバの回路構成）
次に、本実施例の認証サーバ９の内部構成を、図７を用いて説明する。図７は、Ｗｅｂサーバ及び認証サーバの各内部構成を示すブロック図である。
【００４９】
認証サーバ９は、記憶部９Ａ、通信部９Ｂ及び制御部９Ｃを備える。
【００５０】
記憶部９Ａは、例えば、電気的にデータの書き換えが可能なＥＥＰＲＯＭやフラッシュメモリ等で構成され、認証データ９Ｄ及びアカウントデータ９Ｅを格納している。記憶部９Ａは、インターネットＮへの接続時間に紐付けて認証コードをＭＡＣアドレスと組にして記憶する。
【００５１】
通信部９Ｂは、認証サーバ９をＷｅｂサーバ２に接続したり無線端末３に接続したりする。
【００５２】
制御部９Ｃは、コード発行部９Ｆ、転送部９Ｇ、認証部９Ｈ、通信制御部９Ｉ、認証データ更新部９Ｊ、コード受信部９Ｋ及びアカウントデータ更新部９Ｌを備える。
【００５３】
コード発行部９Ｆは、認証コードの発行要求をコード発行装置４から受信して、認証コードを発行する。
【００５４】
転送部９Ｇは、無線端末３の認証サーバ９へのアクセスをＷｅｂサーバ２へ転送する。
【００５５】
認証部９Ｈは、コード受信部９Ｋが受信した認証データ９Ｄ及びＭＡＣアドレスを用いて認証を行う。
【００５６】
通信制御部９Ｉは、コード受信部９Ｋが受信した認証コードに紐付けられた接続時間以下であれば無線端末３をインターネットＮに接続する。
【００５７】
認証データ更新部９Ｊは、認証データ９Ｄを更新して記憶部９Ａに格納する。
【００５８】
コード受信部９Ｋは、無線端末３からのアクセス要求を受けて、認証データ９ＤとＭＡＣアドレスとを無線端末３から受信する。
【００５９】
アカウントデータ更新部９Ｌは、アカウントデータ９Ｅを更新して記憶部９Ａに格納する。
【００６０】
（認証データ９Ｄ及びアカウントデータ９Ｅの各データ構造）
次に、認証データ９Ｄ及びアカウントデータ９Ｅの各データ構造を、図９を用いて説明する。図９は、認証データ及びアカウントデータの各データ構造の詳細を示す図である。
【００６１】
認証データ９Ｄは、無線端末３ごとに割り当てられる。認証データ９Ｄは、（ａ）に示すように、ＭＡＣアドレスと認証コードの組からなる。ＭＡＣアドレスは、無線端末３に固有の情報である。認証コードは、例えば、数字や文字等のテキストがコード化された情報である。
【００６２】
アカウントデータ９Ｅは、（ｂ）に示すように、ＭＡＣアドレス、インターネットＮの利用開始日時、インターネットＮの利用終了予定日時、認証コード、の４個のデータからなる。例えば、利用開始時刻として「２０１８／９／１６  ８：３２」が記憶されている場合には、２０１８年９月１６日の午前８時３２分にインターネット利用サービスを開始することを表している。また、サービス終了予定時刻として「２０１８／９／１６  １４：３２」が記憶されている場合には、２０１８年９月１６日の午後２時３２分にインターネット利用サービスが終了予定であることを表している。
【００６３】
続いて、本実施例に係る無線ＬＡＮシステム１の動作を、図４及び図１０を用いて説明する。図４は、カードリーダ／ライタと、プリンタと、コード発行装置４と、認証サーバ９との間におけるデータの授受を示す図である。図１０は、コード印刷動作を示すフローチャートである。
【００６４】
まず、コード発行装置４において、制御部４Ｋは、インターネットＮの利用料金をディスプレイ４Ｅに表示させる（ステップＳ１）。これにより、ユーザは、インターネットＮの利用料金を確認することが可能になる。
【００６５】
そして、制御部４Ｋは、カードリーダ／ライタ（図４）にテレビカードＴＣが挿入されたか否かを判断する（ステップＳ２）。テレビカードＴＣが挿入されなかった場合（ステップＳ２におけるＮＯ）、処理はステップＳ２を繰り返す。
【００６６】
テレビカードＴＣが挿入された場合（ステップＳ２におけるＹＥＳ）、度数確認部４Ｌは、テレビカードＴＣに記憶されている残度数を確認する。そして、制御部４Ｋは、テレビカードＴＣの残度数を残度数表示部４Ｃに表示させる（ステップＳ３）。これにより、ユーザは、タッチパネル４Ｈへのタッチ入力で所望の利用料金を選ぶことが可能になる。
【００６７】
そして、制御部４Ｋは、タッチパネル４Ｈへのタッチ入力があったか否かを判断する（ステップＳ４）。タッチ入力がなかった場合、処理はステップＳ４を繰り返す。
【００６８】
タッチ入力があった場合（ステップＳ４におけるＹＥＳ）、度数確認部４Ｌは、タッチパネル４Ｈから入力された度数である入力度数が残度数以下であるか否かを判断する（ステップＳ５）。
【００６９】
入力度数が残度数を超える場合（ステップＳ５におけるＮＯ）、制御部４Ｋは、エラー画面を残度数表示部４Ｃに表示させる（ステップＳ６）。
【００７０】
一方、入力度数が残度数以下の場合（ステップＳ５におけるＹＥＳ）、コード発行要求部４Ｎは、図４に示すように、認証コードの発行を認証サーバ９に対して要求する（ステップＳ７）。
【００７１】
そして、コード発行要求部４Ｎは、認証サーバ９から認証コードを受信したか否かを判断する（ステップＳ８）。認証コードを未受信の場合（ステップＳ８におけるＮＯ）、処理はステップＳ８を繰り返す。
【００７２】
一方、認証コードを受信した場合（ステップＳ８におけるＹＥＳ）、プリンタ制御部４Ｐは、プリンタ（図４）の動作を制御して、プリント用紙Ｐの所定の箇所に認証コード及び認証データを印刷させる（ステップＳ９）。その後、処理はステップＳ１を繰り返す。
【００７３】
図１１は、アカウントデータ更新動作を示すフローチャートである。
【００７４】
まず、認証サーバ９において、コード発行部９Ｆは、認証コードの発行要求をコード発行装置４から受信したか否か判断する（ステップＴ１）。認証コードの発行要求を未受信の場合（ステップＴ１におけるＮＯ）、処理はステップＴ１を繰り返す。
【００７５】
認証コードの発行要求を受信した場合（ステップＴ１におけるＹＥＳ）、コード発行部９Ｆは、新たな認証コードを発行する。認証データ更新部９Ｊは、発行した認証コードからなる認証データを更新する（ステップＴ２）。
【００７６】
通信部９Ｂは、認証データ更新部９Ｊにより更新された認証データ９Ｄをコード発行装置４に送信する（ステップＴ３）。
【００７７】
アカウントデータ更新部９Ｌは、認証コードに紐付けられた接続時間を更新する（ステップＴ４）。
【００７８】
その後、処理はステップＴ１に戻る。
【００７９】
続いて、認証サーバ９、Ｗｅｂサーバ２及び無線端末３の各動作を、図１２、図１３及び図１４を用いて説明する。
【００８０】
図１２は、Ｗｅｂサーバと、認証サーバと、無線端末との間におけるデータの授受を示す図である。図１３は、無線ＬＡＮシステムの認証処理に係る動作を示すシーケンス図である。無線端末３の通信部３Ｃは、ＳＳＩＤがユーザにより選択され、さらに、パスワードがユーザにより入力されたことに応答して、これらＳＳＩＤ及びパスワードにより、ＷＩＦＩアクセスポイント６にアクセスする。これにより、無線端末３と他の無線通信装置との間に物理的な通信リンクが確立される。そして、無線端末３において、ユーザはブラウザソフト３Ｈを起動させることで、インターネット接続を要求する。無線端末３の通信部３Ｃは、ユーザからのインターネットへのアクセス要求を受けて、ＭＡＣアドレスを含むアクセス要求を認証サーバ９に送信する。認証サーバ９はアクセス要求を無線端末３から受信する。
【００８１】
続いて、認証サーバ９において、コード受信部９Ｋは、ＭＡＣアドレスを無線端末３から受信して確認する（ステップＵ１）。
【００８２】
認証サーバ９において、転送部９Ｇは、リダイレクトにより、無線端末３の認証サーバ９へのアクセスをＷｅｂサーバ２へ転送する（ステップＵ２）。
【００８３】
転送先のＷｅｂサーバ２において、表示制御部２Ｆは、記憶部２Ａに格納されたコード入力画面データ２Ｄに基づいて、コード入力画面を生成する（ステップＵ３）。生成されたコード入力画面は、通信部９Ｂによって、無線端末３に送信される（ステップＵ４）。無線端末３の通信部３Ｃは、認証コードがユーザにより入力されたことに応答して、認証コードとＭＡＣアドレスとをＷｅｂサーバ２に送信する（ステップＵ５）。
【００８４】
Ｗｅｂサーバ２において、通信部２Ｂは、認証コードとＭＡＣアドレスとを受け付ける。コード送信部２Ｅは、通信部２Ｂが受け付けた認証コードとＭＡＣアドレスとを認証サーバ９に転送する（ステップＵ６）。
【００８５】
認証サーバ９において、コード受信部９Ｋは、認証コードとＭＡＣアドレスとを受信する。認証部９Ｈは、コード受信部９Ｋが受信したＭＡＣアドレスを用いて、記憶部９Ａが記憶しているＭＡＣアドレスと一致するか否かの認証処理を行う（ステップＵ７）。両者が一致して認証に成功した場合、処理はステップＵ８に進む。
【００８６】
アカウントデータ更新部９Ｌは、認証コードに紐付けられた接続時間を更新する（ステップＵ８）。
【００８７】
通信制御部９Ｉは、インターネットＮの利用開始日時から利用終了予定日時までの残り時間が接続時間以下であれば、無線端末３をインターネットＮに接続させる（ステップＵ９）。
【００８８】
コード受信部９Ｋは、無線端末３からのアクセス要求を受けて、ＭＡＣアドレスを無線端末３から受信して確認する（ステップＵ１０）。
【００８９】
通信制御部９Ｉは、アカウントデータ９Ｅを確認する（ステップＵ１１）。
【００９０】
通信制御部９Ｉは、インターネットＮの利用開始日時から利用終了予定日時までの残り時間が接続時間以下であれば、無線端末３のインターネットＮへのアクセスを許可する（ステップＵ１２）。
【００９１】
通信制御部９Ｉは、アカウントデータ９Ｅを確認する（ステップＵ１３）。
【００９２】
通信制御部９Ｉは、インターネットＮの利用開始日時から利用終了予定日時までの残り時間が接続時間を超える場合、無線端末３のインターネットＮへのアクセスを遮断する（ステップＵ１４）。
【００９３】
上述した実施形態によれば、支払媒体の所持の有無を問わず、一度限り有効な認証コードが、インターネットＮに対するアクセス用に発行される。したがって、ワンタイムで手軽にインターネットＮを利用することができる。
【００９４】
以上、本発明の実施形態を図面により詳述したが、実施形態は本発明の例示にしか過ぎないものであるため、本発明は実施形態の構成にのみ限定されるものではなく、本発明の要旨を逸脱しない範囲の設計の変更等があっても、本発明に含まれることは勿論である。
【符号の説明】
【００９５】
１・・・無線ＬＡＮシステム
３・・・無線端末
４・・・コード発行装置
９・・・認証サーバ
９Ａ・・・記憶部
９Ｂ・・・通信部（受信部）
９Ｈ・・・認証部
９Ｉ・・・通信制御部
Ｎ・・・インターネット（外部ネットワーク）
【図１】
2020057925.tif 000003
【図２】
2020057925.tif 000004
【図３】
2020057925.tif 000005
【図４】
2020057925.tif 000006
【図５】
2020057925.tif 000007
【図６】
2020057925.tif 000008
【図７】
2020057925.tif 000009
【図８】
2020057925.tif 000010
【図９】
2020057925.tif 000011
【図１０】
2020057925.tif 000012
【図１１】
2020057925.tif 000013
【図１２】
2020057925.tif 000014
【図１３】
2020057925.tif 000015
【図１４】
2020057925.tif 000016